(57)【要約】【課題】  洗面化粧台等に使用可能な排水装置において、洗面ボール等の貯水部における貯排水を十全に制御し得ることに加えて、キャビネット内における収容スペース等の有効利用可能なスペースを充分に確保し得る排水装置を提供する。【解決手段】  排水栓４の上端開口５に取付けたケレップ６を駆動ロッド７の変位に対応して上下動自在とし、この駆動ロッド７の変位を制御する操作によりケレップ６を応動自在に形成してなる排水装置において、排水栓スライド軸１０の下端に排水栓スライド軸１０を介してケレップ６を支持するケレップ支持板１１を排水栓スライド軸１０に斜交して配設するとともに、このケレップ支持板１１の裏面１２に略水平方向から当接する前記駆動ロッド７の変位に対応してケレップ６を上下動せしめ、洗面ボール２ａの貯排水を制御し得るので、キャビネット内における収容スペース等の有効利用可能なスペースを充分に確保し得る。【選択図】図１
2005336707.tif 000002
【特許請求の範囲】
【請求項１】
貯水部の底面に設けた排水栓の上端開口に取付けたケレップを駆動ロッドの変位に対応して上下動自在とし、前記駆動ロッドの変位を制御する操作部の操作により前記ケレップを応動自在に形成してなる排水装置において、前記ケレップより排水口管中に垂設された排水栓スライド軸の下端に、前記排水栓スライド軸を介して前記ケレップを支持するケレップ支持板を前記排水栓スライド軸に斜交して配設するとともに、前記ケレップ支持板の裏面に略水平方向から当接する前記駆動ロッドの先端部の変位に対応して前記ケレップを上下動せしめ、前記貯水部の貯排水を制御し得ることを特徴とする排水装置。
【請求項２】
前記ケレップ支持板が、排水流路を確保し得る貫通部を有することを特徴とする請求項１記載の排水装置。
【発明の詳細な説明】
【技術分野】
【０００１】
本発明は、洗面化粧台等に使用可能な排水装置に関するものである。
【背景技術】
【０００２】
洗面化粧台等に使用可能な従来の排水装置としては、典型的には、例えば、図５に例示するように、排水栓４の上端開口５にケレップ６を上下動自在に取り付け、レリーズ１６のインナーケーブル１７の一端に駆動ロッド７ａを設けると共に、インナーケーブル１７の他端に操作部８を設け、駆動ロッド７ａの先端部１３ａを下方より、ケレップ６から垂設された排水栓スライド軸１０の下端に接続し、駆動ロッド７の先端部１３ａの上下動にケレップ６を応動自在に形成してなる排水装置１ａ（例えば、特開平７−２２４４５１号公報等参照）が知られている。
【０００３】
しかし、かかる従来の排水装置１ａにおいては、駆動ロッド７ａが下方より排水栓スライド軸１０を介してケレップ６を駆動する構造であるため、レリーズ１６等ケレップ６の駆動を担う機構部がキャビネット１８（図６参照）内のスペース１９の相当部分を占める結果、キャビネット１８内において、収容スペース等に利用可能な有効スペースが、相対的に減少してしまうという問題があった（図６参照）。
【特許文献１】特開平７−２２４４５１号公報
【発明の開示】
【発明が解決しようとする課題】
【０００４】
本発明は、上記背景技術に鑑みて発明されたものであり、その課題は、洗面化粧台等に使用可能な排水装置において、洗面ボール等の貯水部における貯排水を十全に制御し得ることに加えて、良好な排水効率を確保しつつ、キャビネット内における収容スペース等の有効利用可能なスペースを充分に確保し得る排水装置を提供することである。
【課題を解決するための手段】
【０００５】
上記課題を解決するために、請求項１に係る発明の排水装置にあっては、貯水部の底面に設けた排水栓の上端開口に取付けたケレップを駆動ロッドの変位に対応して上下動自在とし、前記駆動ロッドの変位を制御する操作部の操作により前記ケレップを応動自在に形成してなる排水装置において、前記ケレップより排水口管中に垂設された排水栓スライド軸の下端に、前記排水栓スライド軸を介して前記ケレップを支持するケレップ支持板を前記排水栓スライド軸に斜交して配設するとともに、前記ケレップ支持板の裏面に略水平方向から当接する前記駆動ロッドの先端部の変位に対応して前記ケレップを上下動せしめ、前記貯水部の貯排水を制御し得ることを特徴とするものである。
【０００６】
請求項２に係る発明の排水装置にあっては、請求項１記載の排水装置において、前記ケレップ支持板が、排水流路を確保し得る貫通部を有することを特徴とするものである。
【発明の効果】
【０００７】
本発明の排水装置では、貯水部の底面に設けた排水栓の上端開口に取付けたケレップを駆動ロッドの変位に対応して上下動自在とし、前記駆動ロッドの変位を制御する操作部の操作により前記ケレップを応動自在に形成してなる排水装置において、前記ケレップより排水口管中に垂設された排水栓スライド軸の下端に、前記排水栓スライド軸を介して前記ケレップを支持するケレップ支持板を前記排水栓スライド軸に斜交して配設するとともに、前記ケレップ支持板の裏面に略水平方向から当接する前記駆動ロッドの先端部の変位に対応して前記ケレップを上下動せしめ、前記貯水部の貯排水を制御し得ることを特徴とするので、キャビネット内における収容スペース等の有効利用可能なスペースを充分に確保し得ることとなる。
【発明を実施するための最良の形態】
【０００８】
以下、本発明の実施形態を図面に基づき説明する。ここで、図１は、本発明の一実施形態である排水装置を装着した洗面ボールの概略を模式的に示す要部断面図である。また、図２は、本発明の一実施形態である排水装置のケレップ支持板とその近傍の要部構成を概略的に示す斜視図である。一方、図３は、本発明の上記と異なる実施形態である排水装置のケレップ支持板とその近傍の要部構成を概略的に示す斜視図である。また、図４は、本発明の一実施形態である排水装置の作動状態の概略を示すもので、（ａ）は、排水栓が開放した状態を示す断面図、（ｂ）は、排水栓が閉じた状態を示す断面図である。
【０００９】
すなわち、本実施形態の排水装置１は、例えば、図１に示すように、洗面化粧台２０の貯水部２である洗面ボール２ａの底面３に設けた排水栓４の上端開口５に取付けたケレップ（排水栓本体）６を駆動ロッド７の変位に対応して上下動自在とし、この駆動ロッド７の変位を制御する操作部８の操作によりケレップ６を応動自在に形成してなる排水装置であるが、この排水装置１は、ケレップ６より排水口管９の中に垂設された排水栓スライド軸１０の下端に、この排水栓スライド軸１０を介してケレップ６を支持するケレップ支持板１１を前記排水栓スライド軸１０に斜交して配設するとともに、ケレップ支持板１１の裏面１２に略水平方向から当接する駆動ロッド７の先端部１３の変位に対応してケレップ６を上下動せしめ、貯水部２である洗面ボール２ａの貯排水を制御し得るというものである。さらに、本実施形態の排水装置１では、排水栓スライド軸１０の中程にガイド部材１４を設け、排水栓スライド軸１０を排水口管９の中の所定の位置に軸着することとした。
【００１０】
一方、本実施形態の排水装置１では、図２に示すように、上記ケレップ支持板１１が、排水流路を確保し得る貫通部１５である貫通孔１５ａを複数個有する構成としたが、これにより排水装置１の良好な排水効率を確保することができる。但し、かかるケレップ支持板１１の貫通部１５の形状、個数等には、特に制限はなく、例えば、図３に示すように、ケレップ支持板１１の外周部に貫通部１５として、複数個の切欠き部１５ｂを形成する実施形態等も可能であり、上記課題解決に寄与する限りにおいて何ら制約のないことはいうまでもない。
【００１１】
また、上記図２、図３に示すように、ケレップ支持板１１は、排水栓スライド軸１０に対して回動自在に形成されており、駆動ロッド７の先端部１３が、ケレップ支持板１１の裏面１２に最適の角度で当接し得るような自由度を付与し得ることとした。もっとも、この目的のためには、ケレップ支持板１１が排水栓スライド軸１０に対して回動自在であることは、必ずしも必須ではなく、ケレップ６が排水栓スライド軸１０に対して回動自在とする構成でもよく、少なくとも、ケレップ６、或いは、ケレップ支持板１１のいずれか一方が排水栓スライド軸１０に対して回動自在であれば足り、上記実施形態のみに限定されるものではない。
【００１２】
かかる構成を有する本実施形態の排水装置１の作動状態の概略を示すものが、図４である。すなわち、本実施形態の排水装置１は、ケレップ６より排水口管９の中に垂設された排水栓スライド軸１０の下端に、この排水栓スライド軸１０を介してケレップ６を支持するケレップ支持板１１を前記排水栓スライド軸１０に斜交して配設し、ケレップ支持板１１の裏面１２に略水平方向から当接する駆動ロッド７の先端部１３の変位に対応してケレップ６を上下動せしめる構造であるため、図４（ａ）に示すように、駆動ロッド７の先端部１３の変位が充分大きいときには、これに当接するケレップ支持板１１が、上方向に押し上げられ、排水栓４の上端開口５のケレップ６もこれに連動して上方向に押し上げられ、排水可能な状態となる。これに対して、図４（ｂ）に示すように、駆動ロッド７の先端部１３の変位が小さいときには、ケレップ支持板１１が下方向に下がり、ケレップ６もこれに連動して下がり、排水栓４が完全に閉じられることとなる。
【００１３】
このように、本実施形態の排水装置１では、洗面化粧台２０の貯水部２である洗面ボール２ａの底面３に設けた排水栓４の上端開口５に取付けたケレップ６を駆動ロッド７の変位に対応して上下動自在とし、この駆動ロッド７の変位を制御する操作部８の操作によりケレップ６を応動自在に形成してなる排水装置において、ケレップ６より排水口管９の中に垂設された排水栓スライド軸１０の下端に、この排水栓スライド軸１０を介してケレップ６を支持するケレップ支持板１１を排水栓スライド軸１０に斜交して配設するとともに、このケレップ支持板１１の裏面１２に略水平方向から当接する前記駆動ロッド７の先端部１３の変位に対応してケレップ６を上下動せしめ、貯水部２である洗面ボール２ａの貯排水を制御し得ることとなるので、キャビネット内における収容スペース等の有効利用可能なスペースを充分に確保し得ることとなる。
【図面の簡単な説明】
【００１４】
【図１】本発明の一実施形態である排水装置を装着した洗面ボールの概略を模式的に示す要部断面図である。
【図２】本発明の一実施形態である排水装置のケレップ支持板とその近傍の要部構成を概略的に示す斜視図である。
【図３】本発明の上記と異なる実施形態である排水装置のケレップ支持板とその近傍の要部構成を概略的に示す斜視図である。
【図４】本発明の一実施形態である排水装置の作動状態の概略を示すもので、（ａ）は、排水栓が開放した状態を示す断面図、  （ｂ）は、排水栓が閉じた状態を示す断面図である。
【図５】従来例に係る排水装置を装着した洗面ボールの概略を模式的に示す要部断面図である。
【図６】従来例に係る排水装置を装着した洗面化粧台の内部構造の概略を模式的に示す図である。
【符号の説明】
【００１５】
１    排水装置
１ａ  排水装置（従来例）
２    貯水部
２ａ  洗面ボール（洗面化粧台２０）
３    底面（洗面ボール２ａ）
４    排水栓
５    上端開口（排水栓４）
６    ケレップ
７    駆動ロッド
７ａ  駆動ロッド（従来例）
８    操作部
９    排水口管
１０    排水栓スライド軸
１１    ケレップ支持板
１２    裏面（ケレップ支持板１１）
１３    先端部（駆動ロッド７）
１３ａ    先端部（駆動ロッド７ａ）
１４    ガイド部材（排水装置１）
１５    貫通部（ケレップ支持板１１）
１５ａ  貫通孔（ケレップ支持板１１）
１５ｂ  切欠き部（ケレップ支持板１１）
１６    レリーズ
１７    インナーケーブル（レリーズ１６）
１８    キャビネット
１９    スペース（キャビネット１８）
２０    洗面化粧台
２１    内壁（排水口管９）
２２    ヘアキャッチャー
２３    オーバーフロー管
【図１】
2005336707.tif 000003
【図２】
2005336707.tif 000004
【図３】
2005336707.tif 000005
【図４】
2005336707.tif 000006
【図５】
2005336707.tif 000007
【図６】
2005336707.tif 000008